(57)【要約】【課題】ケーキ類の収納及び取り出しが容易なうえ、持ち運びも便宜な紙製包装容器を提供する。【解決手段】容器本体１の下端縁の外向きの縁巻き部１２を底蓋２の短筒部２２の上端縁に形成した内向きの縁巻き部２２ａの内側から押し込むように係合させて容器本体１と底蓋２を連結し、また、容器本体１の上端縁の外向きの縁巻き部１２を上蓋３の短筒部３２の下端縁に形成した内向きの縁巻き部３２の外側から押し込むように係合させて容器本体１と上蓋３を連結したことを特徴とする紙製包装容器。【選択図】図１
0003147854.tif 000002
【実用新案登録請求の範囲】
【請求項１】
上端縁と下端縁を外向きの縁巻き部に形成した筒状の容器本体と、底板部の周縁上部に上端縁を内向きの縁巻き部に形成した短筒部を設けた底蓋と、天板部の周縁下部に下端縁を内向きの縁巻き部に形成した短筒部を設けた上蓋とよりなる紙製包装容器であって、容器本体の下端縁の外向きの縁巻き部を底蓋の短筒部の上端縁に形成した内向きの縁巻き部の内側から押し込むように係合させて容器本体と底蓋を連結し、また、容器本体の上端縁の外向きの縁巻き部を上蓋の短筒部の下端縁に形成した内向きの縁巻き部の外側から押し込むように係合させて容器本体と上蓋を連結したことを特徴とする紙製包装容器。
【請求項２】
上蓋の裏側に、該上蓋の短筒部の下端縁に形成した縁巻き部に係合自在とした空気通風孔付の副天板部により副収納部を設けた請求項１に記載の紙製包装容器。
【請求項３】
底蓋と上蓋の短筒部に上下に亘る切断用の破線状切込を設けた請求項1又は２に記載の紙製包装容器。
【請求項４】
筒状の容器本体と底蓋と上蓋を円形とした請求項1又は２又は３に記載の紙製包装容器。
【請求項５】
筒状の容器本体を下拡がりのテーパー状とした請求項1―４のいずれかに記載の紙製包装容器。
【請求項６】
筒状の容器本体の外面に帯状ラベルを巻回した請求項1―５のいずれかに記載の紙製包装容器。
【請求項７】
筒状の容器本体を段ボール紙よりなるものとした請求項1―６のいずれかに記載の紙製包装容器。
【請求項８】
上蓋の天板板を二重構造して表板に切込により取っ手を起伏自在に設けた請求項1―７のいずれかに記載の紙製包装容器。
【考案の詳細な説明】
【技術分野】
【０００１】
本考案は、ショートケーキ、デコレーションケーキ、アイスケーキ等のケーキ類の収納及び取り出しが容易なうえ持ち運びに便宜な紙製包装容器に関するものである。
【背景技術】
【０００２】
ケーキ類を包装する紙製包装容器としては、図５に示すように横四角筒状の容器本体１００の前後の開口１０１をそれぞ開口縁に連設したフラップ１０２により開閉してその開口１０１よりケーキ類２００の収納及び取り出しを行い、また、容器本体１００の天板部１００ａに形成した取っ手１０３により持ち運びに便宜にしたものが知られている（例えば、特許文献１参照）。
【０００３】
この従来のものは、ケーキ類２００の収納及び取り出しを容器本体１００の横方向から行うため、ケーキ類２００を容器本体１００の底板１００ｂに添わせて押し込む際にケーキ類２００が傾いて容器本体１００の内面と接触して破損するという問題がある。また、取り出しの際に容器本体１００を支えて行う必要があり取り出しも面倒であった。
【特許文献１】実開平０３−８１２５号公報（図１）
【考案の開示】
【考案が解決しようとする課題】
【０００４】
本考案は前記のような問題点を解決して、ケーキ類の収納及び取り出しが容易なうえ、持ち運びも便宜な紙製包装容器を提供することを目的として完成されたものである。
【課題を解決するための手段】
【０００５】
本考案の紙製包装容器は、上端縁と下端縁を外向きの縁巻き部に形成した筒状の容器本体と、底板部の周縁上部に上端縁を内向きの縁巻き部に形成した短筒部を設けた底蓋と、天板部の周縁下部に下端縁を内向きの縁巻き部に形成した短筒部を設けた上蓋とよりなる紙製包装容器であって、容器本体の下端縁の外向きの縁巻き部を底蓋の短筒部の上端縁に形成した内向きの縁巻き部の内側から押し込むように係合させて容器本体と底蓋を連結し、また、容器本体の上端縁の外向きの縁巻き部を上蓋の短筒部の下端縁に形成した内向きの縁巻き部の外側から押し込むように係合させて容器本体と上蓋を連結したことを特徴とするものを基本の考案とする。
【０００６】
また、この考案において、上蓋の裏側に、該上蓋の短筒部の下端縁に形成した縁巻き部に係合自在とした空気通風孔付きの副天板部により副収納部を設けることが好ましい。また、これらの考案において底蓋と上蓋の短筒部に上下に亘る切断用の破線状切込を設けることが好ましい。
【０００７】
また、筒状の容器本体と底蓋と上蓋を円形としてもよく、また、筒状の容器本体を下拡がりのテーパー状とすることが好ましい。
【０００８】
そして、筒状の容器本体の外面に帯状ラベルを巻回してもよい。また、筒状の容器本体を段ボール紙よりなるものとすることもできる。さらに、上蓋の天板板を二重構造として表板に切込により取っ手を起伏自在に設けることできる。
【考案の効果】
【０００９】
前記した本考案の紙製包装容器は、筒状の容器本体と底蓋と上蓋とよりなるものであるから、ショートケーキ、デコレーションケーキ、アイスケーキ等のケーキ類を包装する場合に、先ず、底蓋にトレーに載せたケーキ類をトレーごと載置する。その後に筒状の容器本体の下端縁に形成した外向きの縁巻き部を前記底蓋の短筒部の上端縁に形成した内向きの縁巻き部の内側から押し込むように係合させて容器本体と底板を連結する。続いて、上蓋の短筒部の下端縁に形成した内向きの縁巻き部を前記筒状の容器本体の上端縁に形成した外向きの縁巻き部に外側から押し込むように係合させて容器本体と上蓋を該連結してケーキ類を包装する。この場合に連結箇所は内向きの縁巻き部と外向きの縁巻き部が係合した状態であるので上蓋をもって持ち上げても外れることなく持ち運びできるものである。
【００１０】
また、ケーキ類を取り出す場合には底蓋の短筒部を切り裂けば外向きの縁巻き部が内向きの縁巻き部から係合が外れて容器本体を底蓋から外すことができ底蓋上のケーキ類のみが残されるので該ケーキ類の取り出しが容易なものである。
【００１１】
なお、上蓋の裏側に、該上蓋の短筒部の下端縁に形成した縁巻き部に係合自在とした空気通風孔付きの副天板部により副収納部を設けておけば、該副収納部に保冷材、ローソク、簡易ナイフ等が収納できるので便宜である。保冷材を収納した場合に冷気は下方に流れるので特に効果的である。
【００１２】
また、底蓋と上蓋の短筒部に上下に亘る切断用の破線状切込を設けておけば、上蓋及び底蓋を容器本体から外す場合に連結箇所の内向きの縁巻き部と外向きの縁巻き部の係合を解除するために短筒部を切り裂くのにナイフ、カッターを使用することなく手指で破線状切込を切り裂けば良いものである。
【００１３】
また、筒状の容器本体と底蓋と上蓋を円形とした場合には円形状のケーキ類を包装する場合に最も材料を低減させるとができるものである。また、筒状の容器本体を下拡がりのテーパー状とすることにより、包装前には筒状の容器本体を多数重ね合わせて場所どることなく保管、運送ができるものであり、また、ケーキ類包装時に筒状の容器本体の内面がケーキ類に触れることがより防止できるものである。
【００１４】
そして、筒状の容器本体の外面に帯状ラベルを巻回するものとすれば、販売数量の少ない製造小売の洋菓子店においても自店の名前等を記した帯状ラベルを用意するだけで独自の包装をすることができるものである。
【００１５】
さらに、上蓋の天板板を二重構造として表板に切込により取っ手を起伏自在に設けることにより、簡単に吊り下げてさげて顧客が持ち帰りできることとなる。
【考案を実施するための最良の形態】
【００１６】
次に、本考案の好ましい実施の形態を図面に基づき説明する。
１は筒状の容器本体であり、該筒状の容器本体１は上端縁と下端縁に外向きの縁巻き部１１、１２を形成したものである。なお、図示の筒状の容器本体１は円形であり、かつ、下拡がりのテーパー状としたものである。
【００１７】
２は前記筒状の容器本体１の下端開口を閉塞する底蓋であり、該底蓋２は円形の底板部２１の周縁上部に上端縁を内向きの縁巻き部２２ａに形成した短筒部２２を設けたものである。なお、前記短筒部２２は下端縁にも内向きの縁巻き部２２ｂを形成して該内向きの縁巻き部２２ｂの上端面に前記円形の底板部２１の周縁下面を接着させて、底蓋２を円形の底板部２１の周縁上部に短筒部２２を設けた構成としたものである。
【００１８】
３は前記筒状の容器本体１の上端開口を閉塞する上蓋であり、該上蓋３は円形の天板部３１の周縁下部に下端縁を内向きの縁巻き部３２ａに形成した短筒部３２を設けたものである。なお、前記短筒部３２は上端縁にも内向きの縁巻き部３２ｂを形成して該内向きの縁巻き部３２ｂに前記円形の天板部３１の周縁上面を接着させて、上蓋３を円形の天板部３１の周縁下部に短筒部３２を設けた構成としたものである。
【００１９】
そして、前記筒状の容器本体１の下端縁の外向きの縁巻き部１２を底蓋２の短筒部２２の上端縁に形成した内向きの縁巻き部２２ａの内側から押し込むように係合させて容器本体１と底蓋２を連結するものである。
【００２０】
また、筒状の容器本体１の上端縁の外向きの縁巻き部１１を上蓋３の短筒部３２の下端縁に形成した内向きの縁巻き部３２ａの外側から押し込むようにとを係合させて容器本体１と上蓋３を連結するものである。
【００２１】
そうすると、ショートケーキ、デコレーションケーキ、アイスケーキ等のケーキ類を包装する場合には、先ず、底蓋２にトレー４０に載せたケーキ類４１をトレー４０ごと載置する。その後に筒状の容器本体１をケーキ類を囲むように被せて該容器本体１の下端縁に形成した外向きの縁巻き部１２を前記底蓋２の短筒部２２の上端縁に形成した内向きの縁巻き部２２ａの内側から押し込むように係合させて容器本体１と底蓋２を連結する。この場合に容器本体１の上部開口から容器本体１の内面とケーキ類４０の状態を見ることができるので容器本体１の内面とケーキ類４０が接触することを適確に防止することができるものである。
【００２２】
続いて、上蓋３の短筒部３２の下端縁に形成した内向きの縁巻き部３２ａを前記筒状の容器本体１の上端縁に形成した外向きの縁巻き部１１に外側から押し込むように係合させて容器本体１と上蓋３を連結する。これによりケーキ類を的確に包装することができるものである。この場合に連結箇所は外向きの縁巻き部１２、１１と内向きの縁巻き部２２ａ、３２ａとが係合した状態であるので上蓋３をもって持ち上げても容器本体１と底蓋２及び上蓋３は外れることなく持ち運びできるものである。
【００２３】
なお、ケーキ類４０を取り出す場合には底蓋２の短筒部２２を切り裂けば外向きの縁巻き部１２が内向きの縁巻き部２２ａから係合が外れて容器本体１を底蓋２から外すことができ底蓋２上のケーキ類４０のみが残されるので該ケーキ類４０の取り出しが容易なものである。この場合に先に上蓋３の短筒部３２を切り裂いて外向きの縁巻き部１１と内向きの縁巻き部３２ａの係合を解いて上蓋３を容器本体１から外してもよいものである。
【００２４】
また、上蓋３の裏側に、該上蓋３の短筒部３２の下端縁に形成した縁巻き部３２に係合自在とした空気通風孔５１付の副天板部５により副収納部５０を設けておけば、該副収納部５０に保冷材６１、ローソク６２、簡易ナイフ６３等が収納できるので便宜である。保冷材６１を収納した場合に冷気は下方に流れるので特に効果的である。
【００２５】
また、底蓋２と上蓋３の短筒部２２、３２に上下に亘る切断用の破線状切込７，７を設けておけば、上蓋３及び底蓋２を容器本体１から外す場合に連結箇所の内向きの縁巻き部３２ａ、２２ａと外向きの縁巻き部１２、１１の係合を解除するために短筒部３２、３３を切り裂くのにナイフ、カッターを使用することなく手指で破線状切込７を切り裂くことができるものである。
【００２６】
また、筒状の容器本体１の外面に帯状ラベル８を巻回するものとしている。これにより、販売数量の少ない製造小売の洋菓子店においても自店の名前等を記した帯状ラベル８を用意するだけで店独自の包装を安価に行うことができるものである。また、筒状の容器本体１を段ボール紙よりなるものとすると断熱性に優れたものとなり、保冷材６１の量が少なくすむものである。
【００２７】
さらに、上蓋３の天板部３１を二重構造として表板に切込により取っ手９を起伏自在に設けることにより、簡単に吊り下げてさげて顧客が持ち帰りできることとなるものである。
【００２８】
なお、前記したとおり筒状の容器本体１と底蓋２と上蓋３を円形とした場合には円形状のケーキ類を包装する場合に最も材料を低減させるとができるものである。また、筒状の容器本体１を下拡がりのテーパー状とすることにより、包装前には筒状の容器本体１を多数重ね合わせて場所どることなく保管、運送ができるものであり好ましいものである。
【００２９】
しかしながら、筒状の容器本体１を四角状、六角状或いは楕円状として下拡がりのテーパー状の形状として、底蓋２と上蓋３もこの形状に合せたものとしてもよいものである。また、下拡がりのテーパー状としない円形並びに四角状、六角状或いは楕円状としたものであってもよい。
【図面の簡単な説明】
【００３０】
【図１】本考案の実施形態を示す一部切欠正面図。
【図２】本考案の実施形態を分解して示す一部切欠斜視図。
【図３】本考案の実施形態の筒状の容器本体と底蓋、上蓋との連結箇所を示す断面図。
【図４】本考案の実施形態の本考案の実施形態の筒状の容器本体と底蓋、上蓋との連結箇所の連結前の状態を示す断面図。
【図５】従来の代表例を示す斜視図。
【符号の説明】
【００３１】
１  筒状の容器本体
11  外向きの縁巻き部
12  外向きの縁巻き部
２  底蓋
21  底板部
22  短筒部
22a  内向きの縁巻き部
３  上蓋
31  内向きの縁巻き部
32  短筒部
５  副天板部
50  副収納部
51  空気通風孔
７  破線状切込
８  帯状ラベル
９  取っ手
【図１】
0003147854.tif 000003
【図２】
0003147854.tif 000004
【図３】
0003147854.tif 000005
【図４】
0003147854.tif 000006
【図５】
0003147854.tif 000007